Podtech/llm-jp-corpus-v4-ja_patent huggingface dataset:
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
チャンバ本体と、
前記チャンバ本体によって提供された内部空間にガスを供給するように構成されたガス供給部と、
被加工物の載置領域を提供し、前記内部空間の中に設けられたステージであり、前記載置領域の中心は前記チャンバ本体の中心軸線上に位置する、該ステージと、
前記ステージ内に設けられた下部電極と、
前記内部空間を介して前記ステージの上方に設けられた上部電極と、
前記上部電極に接続されており、該上部電極から上方に延びる給電導体と、
第１の高周波を発生するように構成されており、前記給電導体を介して前記上部電極に電気的に接続された第１の高周波電源と、
前記第１の高周波の周波数よりも低い周波数を有する第２の高周波を発生するように構成されており、前記下部電極に電気的に接続された第２の高周波電源と、
前記上部電極の上方に配置された電磁石であり、前記中心軸線上での水平成分よりも大きい水平成分を、該中心軸線から離れた位置で有する磁場の分布を前記内部空間の中に形成するように構成された、該電磁石と、
接地されており、前記チャンバ本体の上方で前記上部電極を覆うように延びる接地導体と、
を備え、
前記接地導体は、
前記チャンバ本体から上方に延びる筒状の第１の部分と、
前記上部電極から上方に離間し、且つ、前記第１の部分から前記中心軸線に向けて延びる第２の部分であり、前記第１の部分と共に、前記上部電極上に第１の空間を提供する、該第２の部分と、
前記第１の部分よりも前記中心軸線の近くに設けられており、前記第２の部分から上方に延びる筒状の第３の部分であり、その中に前記第１の空間に連続する第２の空間を提供する、該第３の部分と、
を有し、
前記給電導体は、前記第１の空間及び前記第２の空間を通って上方に延びており、
前記電磁石は、前記第３の部分の外側、前記第２の部分上、且つ、前記内部空間の上方に前記接地導体によって提供された外部空間の中に配置されている、
プラズマ処理装置。
【請求項２】
前記接地導体は、
前記第２の部分の上方で、前記中心軸線に対して放射方向に前記第３の部分から延びる第４の部分と、
前記第３の部分よりも前記中心軸線から離れており、前記第４の部分から上方に延びる筒状の第５の部分と、
前記第４の部分の上方で、前記第５の部分から前記中心軸線に向けて延びる第６の部分と、
を更に有し、
前記給電導体は、更に、前記第４の部分、前記第５の部分、及び、前記第６の部分によって囲まれた、前記第２の空間に連続する第３の空間を通って、上方に延びている、
請求項１に記載のプラズマ処理装置。
【請求項３】
前記上部電極から前記第１の空間及び前記第２の空間を通って上方に延び、前記第３の空間を通って、前記接地導体に対して側方且つ外側まで延びる第１の管であり、前記上部電極に冷媒を供給する、該第１の管を更に備える、
請求項２に記載のプラズマ処理装置。
【請求項４】
前記上部電極は、前記ガス供給部からのガスを前記内部空間に吐出するシャワーヘッドを構成しており、
該プラズマ処理装置は、前記上部電極から前記第１の空間及び前記第２の空間を通って上方に延び、前記第３の空間を通って、前記接地導体に対して側方且つ外側まで延びる第２の管であり、前記シャワーヘッドに前記ガス供給部からのガスを供給する、該第２の管を更に備える、
請求項２又は３に記載のプラズマ処理装置。
【請求項５】
前記上部電極に印加される負極性の直流電圧を発生する直流電源と、
前記直流電源と前記上部電極とを互いに接続する配線と、
を更に備え、
前記配線は、前記上部電極から前記第１の空間及び前記第２の空間を通って上方に延び、前記第３の空間を通って、前記接地導体に対して側方且つ外側まで延びている、
請求項２〜４の何れか一項に記載のプラズマ処理装置。
【請求項６】
前記電磁石は、前記中心軸線の周りで巻かれたコイルを有する、請求項１〜５の何れか一項に記載のプラズマ処理装置。
【請求項７】
前記コイルの内径と外径との平均値は、前記中心軸線と前記被加工物のエッジとの間の距離以上である、請求項６に記載のプラズマ処理装置。
【請求項８】
前記第２の高周波の前記周波数は、１３．５６ＭＨｚよりも大きい、請求項１〜７の何れか一項に記載のプラズマ処理装置。
【請求項９】
前記第２の高周波の前記周波数は、４０ＭＨｚ以上である、請求項８に記載のプラズマ処理装置。
【請求項１０】
前記第２の高周波の前記周波数は、６０ＭＨｚ以上である、請求項８に記載のプラズマ処理装置。
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
製造設備で使用される複数の材料を搭載して前記製造設備に向けて移送する移送手段を特定する情報を含む移送手段情報と、前記移送手段に搭載されている前記材料を特定する情報を含む搭載材料情報と、を取得する情報取得部と、
取得した前記情報に基づいて、前記製造設備に補給する材料を前記移送手段から取り出して前記製造設備に補給するための補給指示を作成する補給指示作成部と、
作業者に前記補給指示を伝達する補給指示伝達手段と、を備える、材料補給支援装置。
【請求項２】
前記情報取得部は、前記移送手段から前記材料を取り出して前記製造設備に補給する補給作業を実行する前記作業者を特定する情報をさらに取得する、請求項１に記載の材料補給支援装置。
【請求項３】
前記情報取得部は、前記製造設備の配置、前記移送手段の走行路、前記移送手段の移動速度の少なくとも１つを含むフロアレイアウト情報をさらに取得し、
前記補給指示作成部は、取得した前記情報に基づいて、前記材料を前記製造設備に補給する順序を含む補給指示を作成する、請求項１または２に記載の材料補給支援装置。
【請求項４】
前記フロアレイアウト情報と前記補給指示に基づいて、前記移送手段の走行経路と停止位置を含む運搬指示を作成する運搬指示作成部と、
前記移送手段に前記運搬指示を送信する運搬指示送信部と、をさらに備える、請求項３に記載の材料補給支援装置。
【請求項５】
前記移送手段は、所定の残時間を表示する残時間表示部を有しており、
前記残時間表示部に、前記補給作業の完了予定時刻までの補給作業残時間に関する情報を送信する補給作業残時間送信手段を、さらに備える、請求項１から４のいずれかに記載の材料補給支援装置。
【請求項６】
前記補給作業残時間は、前記移送手段が補給作業のために停止してから次の停止位置に向けて移動を開始するまでに実行される補給作業の猶予時間である、請求項５に記載の材料補給支援装置。
【請求項７】
製造設備で使用される複数の材料を搭載して前記製造設備に向けて移送する移送手段を特定する情報を含む移送手段情報と、前記移送手段に搭載されている前記材料を特定する情報を含む搭載材料情報と、を取得し、
取得した前記情報に基づいて、前記製造設備に補給する材料を前記移送手段から取り出して前記製造設備に補給するための補給指示を作成し、
作業者に前記補給指示を伝達する、材料補給支援方法。
【請求項８】
前記移送手段から前記材料を取り出して前記製造設備に補給する補給作業を実行する前記作業者を特定する情報をさらに取得する、請求項７に記載の材料補給支援方法。
【請求項９】
前記製造設備の配置、前記移送手段の走行路、前記移送手段の移動速度の少なくとも１つを含むフロアレイアウト情報をさらに取得し、
取得した前記情報に基づいて、前記材料を前記製造設備に補給する順序を含む補給指示を作成する、請求項７または８に記載の材料補給支援方法。
【請求項１０】
前記フロアレイアウト情報と前記補給指示に基づいて、前記移送手段の走行経路と停止位置を含む運搬指示を作成し、
前記移送手段に前記運搬指示を送信する、請求項９に記載の材料補給支援方法。
【請求項１１】
前記移送手段は、所定の残時間を表示する残時間表示部を有しており、
前記残時間表示部に、前記補給作業の完了予定時刻までの補給作業残時間に関する情報を送信する、請求項７から１０のいずれかに記載の材料補給支援方法。
【請求項１２】
前記補給作業残時間は、前記移送手段が補給作業のために停止してから次の停止位置に向けて移動を開始するまでに実行される補給作業の猶予時間である、請求項１１に記載の材料補給支援方法。
【手続補正２】
【補正対象書類名】明細書
【補正対象項目名】０００６
【補正方法】変更
【補正の内容】
【０００６】
本発明の材料補給支援装置は、製造設備で使用される複数の材料を搭載して前記製造設備に向けて移送する移送手段を特定する情報を含む移送手段情報と、前記移送手段に搭載されている前記材料を特定する情報を含む搭載材料情報と、を取得する情報取得部と、取得した前記情報に基づいて、前記製造設備に補給する材料を前記移送手段から取り出して前記製造設備に補給するための補給指示を作成する補給指示作成部と、作業者に前記補給指示を伝達する補給指示伝達手段と、を備える。
【手続補正３】
【補正対象書類名】明細書
【補正対象項目名】０００７
【補正方法】変更
【補正の内容】
【０００７】
本発明の材料補給支援方法は、製造設備で使用される複数の材料を搭載して前記製造設備に向けて移送する移送手段を特定する情報を含む移送手段情報と、前記移送手段に搭載されている前記材料を特定する情報を含む搭載材料情報と、を取得し、取得した前記情報に基づいて、前記製造設備に補給する材料を前記移送手段から取り出して前記製造設備に補給するための補給指示を作成し、作業者に前記補給指示を伝達する。
【手続補正書】
【提出日】令和2年3月11日(2020.3.11)
【手続補正１】
【補正対象書類名】明細書
【補正対象項目名】００３６
【補正方法】変更
【補正の内容】
【００３６】
本発明においては「砂目」を予防するために（８−ｂ）の様に単一の形状及び大きさの原多角形８３で平面充填することが好ましい。尚、「砂目」とはランダム図形の中に、特異的に図形の密度の高い部分と低い部分が現れる現象である。また、前記の原多角形の重心と原多角形の各頂点を結んだ直線あるいは延長線上の、重心から拡大／縮小多角形の各頂点までの位置の割合は、１０〜３００％の範囲が好ましい。３００％を超えると砂目現象が現れる場合があり、１０％未満では、ボロノイ図形に高い規則性が残り、液晶ディスプレイと重ねた時にモアレが生じる場合がある。
【手続補正２】
【補正対象書類名】明細書
【補正対象項目名】００３８
【補正方法】変更
【補正の内容】
【００３８】
本発明における不規則な網目形状として、上記した方法で得られたボロノイ図形を、任意の方向に拡大もしくは縮小して得られる図形を用いることも好ましい。図９は本発明における変形例を説明するための図である。図９中、（９−ａ）は拡大もしくは縮小する前のボロノイ図形を図示したものである。この（９−ａ）におけるボロノイ図形をｘ方向に４倍拡大し、ｙ方向は変化させなかった時の図形を図示したものが図９の（９−ｂ）になる。（９−ａ）におけるボロノイ辺９１は（９−ｂ）の辺９２に、（９−ａ）における母点９１１は（９−ｂ）の点９１２（ボロノイ図形におけるボロノイ辺と母点の位置関係にはない）に相当する。なお、図８及び図９において説明のため母点や点を表示しているが、実際の金属細線においては母点や点は存在しない。
【手続補正書】
【提出日】令和2年9月7日(2020.9.7)
【手続補正１】
【補正対象書類名】特許請求の範囲
【補正対象項目名】全文
【補正方法】変更
【補正の内容】
【特許請求の範囲】
【請求項１】
製造設備で使用される複数の材料の予定使用数を含む生産計画情報と、材料保管庫に保管されている前記材料の保管数を含む保管材料情報と、を取得する情報取得部と、
取得した前記情報に基づいて、前記製造設備に補給する材料を前記材料保管庫から取り出す払出指示を作成する払出指示作成部と、
作業者に前記払出指示を伝達する払出指示伝達手段と、を備える、材料補給支援装置。
【請求項２】
前記情報取得部は、前記材料を搭載して前記製造設備に向けて移送する移送手段を特定する情報を含む移送手段情報をさらに取得し、
前記払出指示作成部は、取得した前記情報に基づいて、前記製造設備に補給する材料を前記材料保管庫から取り出して前記移送手段に搭載するための払出指示を作成する、請求項１に記載の材料補給支援装置。
【請求項３】
前記情報取得部は、前記材料保管庫から前記材料を取り出して前記移送手段に搭載する払出作業を実行する前記作業者を特定する情報を含む作業者情報をさらに取得する、請求項２に記載の材料補給支援装置。
【請求項４】
前記情報取得部は、前記製造設備で使用されている前記材料の残量を含む使用材料情報をさらに取得する、請求項１から３のいずれかに記載の材料補給支援装置。
【請求項５】
前記払出指示作成部は、前記材料保管庫から前記材料を取り出す順序を含む払出指示を作成する、請求項１から４のいずれかに記載の材料補給支援装置。
【請求項６】
前記情報取得部は、前記製造設備の配置、前記材料保管庫の配置、前記移送手段の走行路、前記移送手段の移動速度の少なくとも１つを含むフロアレイアウト情報をさらに取得し、
前記払出指示作成部は、取得した前記情報に基づいて、前記材料を前記移送手段に搭載する順序を含む払出指示を作成する、請求項２または３または請求項２もしくは３を引用する請求項４もしくは５のいずれかに記載の材料補給支援装置。
【請求項７】
前記移送手段は、所定の残時間を表示する残時間表示部を有しており、
前記残時間表示部に、前記払出作業の完了予定時刻までの払出作業残時間に関する情報を送信する払出作業残時間送信手段を、さらに備える、請求項２または３または請求項２もしくは３を引用する請求項４から６のいずれかに記載の材料補給支援装置。
【請求項８】
前記移送手段情報には、前記移送手段の稼働状況が含まれ、
前記払出指示作成部は、前記稼働状況から前記材料を搭載させる前記移送手段を決定する、請求項２または３または請求項２もしくは３を引用する請求項４から７のいずれかに記載の材料補給支援装置。
【請求項９】
製造設備で使用される複数の材料の予定使用数を含む生産計画情報と、材料保管庫に保管されている前記材料の保管数を含む保管材料情報と、を取得し、
取得した前記情報に基づいて、前記製造設備に補給する材料を前記材料保管庫から取り出す払出指示を作成し、
作業者に前記払出指示を伝達する、材料補給支援方法。
【請求項１０】
前記材料を搭載して前記製造設備に向けて移送する移送手段を特定する情報を含む移送手段情報をさらに取得し、
取得した前記情報に基づいて、前記製造設備に補給する材料を前記材料保管庫から取り出して前記移送手段に搭載するための払出指示を作成する、請求項９に記載の材料補給支援方法。
【請求項１１】
前記材料保管庫から前記材料を取り出して前記移送手段に搭載する払出作業を実行する前記作業者を特定する情報を含む作業者情報をさらに取得する、請求項１０に記載の材料補給支援方法。
【請求項１２】
前記情報として、前記製造設備で使用されている前記材料の残量を含む使用材料情報をさらに取得する、請求項９から１１のいずれかに記載の材料補給支援方法。
【請求項１３】
前記材料保管庫から前記材料を取り出す順序を含む払出指示を作成する、請求項９から１２のいずれかに記載の材料補給支援方法。
【請求項１４】
前記製造設備の配置、前記材料保管庫の配置、前記移送手段の走行路、前記移送手段の移動速度の少なくとも１つを含むフロアレイアウト情報をさらに取得し、
取得した前記情報に基づいて、前記材料を前記移送手段に搭載する順序を含む払出指示を作成する、請求項１０または１１または請求項１０もしくは１１を引用する請求項１２もしくは１３のいずれかに記載の材料補給支援方法。
【請求項１５】
前記移送手段は、所定の残時間を表示する残時間表示部を有しており、
前記残時間表示部に、前記払出作業の完了予定時刻までの払出作業残時間に関する情報を送信する、請求項１０または１１または請求項１０もしくは１１を引用する請求項１２から１４のいずれかに記載の材料補給支援方法。
【請求項１６】
前記移送手段情報には、前記移送手段の稼働状況が含まれ、
前記稼働状況から前記材料を搭載させる前記移送手段を決定する、請求項１０または１１または請求項１０もしくは１１を引用する請求項１２から１５のいずれかに記載の材料補給支援方法。
【手続補正２】
【補正対象書類名】明細書
【補正対象項目名】０００６
【補正方法】変更
【補正の内容】
【０００６】
本発明の材料補給支援装置は、製造設備で使用される複数の材料の予定使用数を含む生産計画情報と、材料保管庫に保管されている前記材料の保管数を含む保管材料情報と、を取得する情報取得部と、取得した前記情報に基づいて、前記製造設備に補給する材料を前記材料保管庫から取り出す払出指示を作成する払出指示作成部と、作業者に前記払出指示を伝達する払出指示伝達手段と、を備える。
【手続補正３】
【補正対象書類名】明細書
【補正対象項目名】０００７
【補正方法】変更
【補正の内容】
【０００７】
本発明の材料補給支援方法は、製造設備で使用される複数の材料の予定使用数を含む生産計画情報と、材料保管庫に保管されている前記材料の保管数を含む保管材料情報と、を取得し、取得した前記情報に基づいて、前記製造設備に補給する材料を前記材料保管庫から取り出す払出指示を作成し、作業者に前記払出指示を伝達する。
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
ワークを搬送する台車が走行する搬送路を構成する搬送モジュールと、
前記搬送モジュールの上の前記台車の位置を制御する制御部と、
前記台車の前記ワークの特定位置を基準とする移動誤差を記憶する記憶部とを有し、
前記制御部は、前記ワークの特定位置を基準とする前記移動誤差に基づき、前記台車の位置を制御する
ことを特徴とする搬送システム。
【請求項２】
前記記憶部は、前記台車の前記ワークの特定位置を基準とする複数の移動誤差を記憶し、
前記制御部は、前記複数の移動誤差の中から選択された前記移動誤差に基づき、前記台車の位置を制御する
ことを特徴とする請求項１記載の搬送システム。
【請求項３】
前記台車は複数であり、
前記記憶部は、前記複数の台車のそれぞれについて、前記台車の前記ワークの特定位置を基準とする複数の移動誤差を記憶する
ことを特徴とする請求項２記載の搬送システム。
【請求項４】
前記複数の移動誤差は、前記台車の停止基準位置及び前記台車が搬送する前記ワークの種類に応じて取得されたものであり、
前記制御部は、前記停止基準位置及び前記ワークの種類に応じた前記移動誤差に基づき、前記台車の位置を制御することを特徴とする請求項２又は３に記載の搬送システム。
【請求項５】
前記台車は、前記ワークを把持する把持部を有し、
前記複数の移動誤差は、前記台車の停止基準位置及び前記把持部の種類に応じて取得されたものであり、
前記制御部は、前記停止基準位置及び前記把持部の種類に応じた前記移動誤差に基づき、前記台車の位置を制御する
ことを特徴とする請求項２又は３に記載の搬送システム。
【請求項６】
前記搬送モジュールの少なくとも１つは、複数のコイルよりなるコイル群を有し、
前記台車は、前記コイル群から電磁力を受けるマグネットを有し、
前記制御部は、前記コイル群に流す電流により、前記コイル群を有する搬送モジュールの上の前記台車の位置を制御する
ことを特徴とする請求項１乃至５のいずれか１項に記載の搬送システム。
【請求項７】
前記複数の台車の搬送順を記憶する記憶部をさらに有する
ことを特徴とする請求項３に記載の搬送システム。
【請求項８】
前記ワークの特定位置を基準とする前記移動誤差に基づき、前記台車の停止位置を制御する
ことを特徴とする請求項１乃至７のいずれか１項に記載の搬送システム。
【請求項９】
ワークを搬送する台車が走行する搬送路を構成する搬送モジュールと、前記搬送モジュールの上の前記台車の位置を制御する制御部と、を有する搬送システムの制御方法であって、
前記制御部は、前記ワークの特定位置を基準とする移動誤差に基づき、前記台車の位置を制御することを特徴とする搬送システムの制御方法。
【請求項１０】
請求項１乃至８のいずれか１項に記載された搬送システムと、
前記台車により搬送されるワークに対して加工を施す工程装置と
を有することを特徴とする加工システム。
【請求項１１】
請求項１０に記載の加工システムを用いて物品を製造する物品の製造方法であって、
前記台車により前記ワークを搬送する工程と、
前記台車により搬送された前記ワークに対して、前記工程装置により前記加工を施す工程と
を有することを特徴とする物品の製造方法。
【手続補正２】
【補正対象書類名】明細書
【補正対象項目名】０００９
【補正方法】変更
【補正の内容】
【０００９】
本発明の一観点によれば、ワークを搬送する台車が走行する搬送路を構成する搬送モジュールと、前記搬送モジュールの上の前記台車の位置を制御する制御部と、前記台車の前記ワークの特定位置を基準とする移動誤差を記憶する記憶部とを有し、前記制御部は、前記ワークの特定位置を基準とする前記移動誤差に基づき、前記台車の位置を制御することを特徴とする搬送システムが提供される。
【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
第１の表示画面から、前記第１の表示画面と表示領域が結合されている第２の表示画面に向けてオブジェクトを移動させる際に、前記第１の表示画面と前記第２の表示画面との境界を含む制御領域に前記オブジェクトが進入すると、前記オブジェクトが前記第２の表示画面に進入するのを阻む制御を実行し、
前記第１の表示画面から前記第２の表示画面に向けて前記オブジェクトをドラッグ操作により移動させた場合に、前記ドラッグ操作で入力された操作の移動量に対する前記オブジェクトの移動量を、前記制御領域において前記制御領域の外よりも小さくなるように制御する、
ことを含む、情報処理装置が実行する表示制御方法。
【請求項２】
前記第１の表示画面から前記第２の表示画面に向けて前記オブジェクトをフリック操作により移動させた場合に、前記オブジェクトが前記制御領域に進入時の移動速度が、速度閾値未満の場合、前記オブジェクトが前記第２の表示画面に進入しないように、前記第２の表示画面に進入するのを阻む制御を実行する、
ことを特徴とする請求項１に記載の表示制御方法。
【請求項３】
前記オブジェクトをフリック操作により前記第１の表示画面から前記第２の表示画面に向けて移動させた場合に用いる前記速度閾値よりも、前記オブジェクトをフリック操作により前記第２の表示画面から前記第１の表示画面に向けて移動させた場合に用いる第２の速度閾値の方が高い値に設定されていることを特徴とする請求項２に記載の表示制御方法。
【請求項４】
前記オブジェクトをフリック操作により前記第１の表示画面から前記第２の表示画面に向けて移動させた場合に用いる前記速度閾値よりも、第２のオブジェクトをフリック操作により前記第１の表示画面から前記第２の表示画面に向けて移動させた場合に用いる第３の速度閾値の方が高い値に設定されていることを特徴とする請求項２又は３に記載の表示制御方法。
【請求項５】
前記速度閾値は、前記第１の表示画面と、前記第２の表示画面との物理的な距離に応じた値に設定されている、ことを特徴とする請求項２に記載の表示制御方法。
【請求項６】
前記速度閾値は、前記第２の表示画面に表示を行う表示装置の通信の応答時間に応じた値に設定される、ことを特徴とする請求項２に記載の表示制御方法。
【請求項７】
前記オブジェクトに対するドラッグ操作が前記制御領域上でドロップされた場合に、前記オブジェクトが前記制御領域に進入してからの経過時間が所定時間以上であれば前記オブジェクトが前記制御領域上で停止するように制御し、前記経過時間が所定時間未満であれば前記制御領域上から外れた位置に前記オブジェクトが移動するように制御する、ことを特徴とする請求項１〜６のいずれか一項に記載の表示制御方法。
【請求項８】
第１の表示画面から、前記第１の表示画面と表示領域が結合されている第２の表示画面に向けてオブジェクトを移動させる際に、前記第１の表示画面と前記第２の表示画面との境界を含む制御領域に前記オブジェクトが進入すると、前記オブジェクトが前記第２の表示画面に進入するのを阻む制御を実行する制御部を含み、
前記制御部は、前記第１の表示画面から前記第２の表示画面に向けて前記オブジェクトをドラッグ操作により移動させた場合に、前記ドラッグ操作で入力された操作の移動量に対する前記オブジェクトの移動量を、前記制御領域において前記制御領域の外よりも小さくなるように制御する、ことを特徴とする情報処理装置。
【請求項９】
第１の表示画面を備える第１の表示装置と、
前記第１の表示画面と表示領域が結合されている第２の表示画面を備える第２の表示装置と、
前記第１の表示画面から前記第２の表示画面に向けてオブジェクトを移動させる際に、前記第１の表示画面と前記第２の表示画面との境界を含む制御領域に前記オブジェクトが進入すると、前記オブジェクトが前記第２の表示画面に進入するのを阻む制御を実行する制御部と、
を含み、
前記制御部は、前記第１の表示画面から前記第２の表示画面に向けて前記オブジェクトをドラッグ操作により移動させた場合に、前記ドラッグ操作で入力された操作の移動量に対する前記オブジェクトの移動量を、前記制御領域において前記制御領域の外よりも小さくなるように制御する、ことを特徴とする情報表示システム。
【手続補正書】
【提出日】令和2年6月30日(2020.6.30)
【手続補正１】
【補正対象書類名】特許請求の範囲
【補正対象項目名】全文
【補正方法】変更
【補正の内容】
【特許請求の範囲】
【請求項１】
運転者の覚醒度を検知する覚醒度検知装置と、
運転者の操作手による接触を検出するセンタコンソール上のタッチ操作部と、前記タッチ操作部と隣接するように前記センタコンソール上に配置され、風を放出する送風部と、を有するタッチ操作装置と、
車両の自動運転を制御する自動運転装置と、
を備え、
自動運転に移行したと判定した場合、
前記自動運転装置によって前記操作手を前記センタコンソール上の前記タッチ操作部へと移動させるような指令を前記運転者に提供し、
前記タッチ操作部によって前記操作手の接触を検出すると、前記タッチ操作部において前記送風部により放出される冷風によって前記操作手の温度を低下させる、
覚醒誘導システム。
【請求項２】
自動運転に移行したと判定し、かつ前記覚醒度検知装置が前記運転者の覚醒度低下を検知した場合、
前記自動運転装置によって前記操作手を前記センタコンソール上の前記タッチ操作部へと移動させるような指令を前記運転者に提供し、
前記タッチ操作部によって前記操作手の接触を検出すると、前記タッチ操作部において前記送風部により放出される冷風によって前記操作手の温度を低下させる、
請求項１に記載の覚醒誘導システム。
【請求項３】
前記操作手が接触する前記タッチ操作部又はその周囲雰囲気を予め冷却する、
請求項１又は２に記載の覚醒誘導システム。
【請求項４】
前記タッチ操作部によって前記操作手の接触を検出すると、前記タッチ操作部又はその周囲雰囲気を冷却する、
請求項１又は２に記載の覚醒誘導システム。
【請求項５】
前記自動運転装置による前記指令は、自動運転に関して前記運転者が行う選択行為に関連する、
請求項１乃至４のいずれか１項に記載の覚醒誘導システム。
【請求項６】
前記覚醒度検知装置が前記運転者の覚醒度低下を検知した場合、
前記自動運転装置による前記指令の回数を増大させる、
請求項５に記載の覚醒誘導システム。
【請求項７】
前記自動運転装置による前記指令は、前記タッチ操作部において前記運転者が行う車載用音響映像装置の操作に関連する、
請求項１乃至６のいずれか１項に記載の覚醒誘導システム。
【手続補正２】
【補正対象書類名】明細書
【補正対象項目名】０００６
【補正方法】変更
【補正の内容】
【０００６】
上記課題を解決するために、本発明の一実施形態に係る覚醒誘導システムは、
運転者の覚醒度を検知する覚醒度検知装置と、
運転者の操作手による接触を検出するセンタコンソール上のタッチ操作部と、前記タッチ操作部と隣接するように前記センタコンソール上に配置され、風を放出する送風部と、を有するタッチ操作装置と、
車両の自動運転を制御する自動運転装置と、
を備え、
自動運転に移行したと判定した場合、
前記自動運転装置によって前記操作手を前記センタコンソール上の前記タッチ操作部へと移動させるような指令を前記運転者に提供し、
前記タッチ操作部によって前記操作手の接触を検出すると、前記タッチ操作部において前記送風部により放出される冷風によって前記操作手の温度を低下させる。
【手続補正書】
【提出日】令和2年6月8日(2020.6.8)
【手続補正１】
【補正対象書類名】特許請求の範囲
【補正対象項目名】全文
【補正方法】変更
【補正の内容】
【特許請求の範囲】
【請求項１】
航空機に設けられる航空機のセンサモジュールを備える航空機のセンサシステムであって、
前記センサモジュールは、前記航空機の外気温を計測する外気温センサモジュールであり、
前記航空機で発生する振動によって発電する環境発電素子と、
前記環境発電素子により発電された電力を蓄電する蓄電部と、
前記環境発電素子からの電力及び前記蓄電部からの電力の少なくとも一方の電力により作動するセンサと、
前記環境発電素子からの電力及び前記蓄電部からの電力の少なくとも一方の電力により作動すると共に、前記センサにより計測された計測データを、無線通信によって外部機器に送信する無線通信部と、を備え、
前記センサモジュールは、前記航空機の翼体の自由端となる翼先端部に設けられることを特徴とする航空機のセンサシステム。
【請求項２】
前記環境発電素子は、複数設けられており、
複数の前記環境発電素子は、前記蓄電部に電力を給電可能に接続されていることを特徴とする請求項１に記載の航空機のセンサシステム。
【請求項３】
前記無線通信部は、初期設定となる初期周期に比して、周期間隔が長い長期周期で、前記計測データを送信することを特徴とする請求項１または２に記載の航空機のセンサシステム。
【請求項４】
前記センサモジュールから送信される計測データを受信するデータ受信装置を、さらに備えることを特徴とする請求項１から３のいずれか１項に記載の航空機のセンサシステム。
【請求項５】
前記センサモジュールは、計測した前記計測データを前記データ受信装置へ向けて複数回送信し、
前記データ受信装置は、受信した複数の前記計測データに基づき正規化を行って、正規計測データを生成することを特徴とする請求項１から４のいずれか１項に記載の航空機のセンサシステム。
【請求項６】
前記センサモジュールは、同じ種類のものが複数設けられており、
複数の前記センサモジュールは、前記データ受信装置へ向けて前記計測データをそれぞれ送信することを特徴とする請求項１から５のいずれか１項に記載の航空機のセンサシステム。
【請求項７】
非常用電源と、
前記非常用電源から前記センサモジュールへ有線により電力を給電する有線給電ラインと、をさらに備えることを特徴とする請求項１から６のいずれか１項に記載の航空機のセンサシステム。
【手続補正２】
【補正対象書類名】明細書
【補正対象項目名】発明の名称
【補正方法】変更
【補正の内容】
【発明の名称】航空機のセンサシステム
【手続補正３】
【補正対象書類名】明細書
【補正対象項目名】０００１
【補正方法】変更
【補正の内容】
【０００１】
本発明は、航空機に設けられる航空機のセンサシステムに関するものである。
【手続補正書】
【提出日】令和2年9月23日(2020.9.23)
【手続補正１】
【補正対象書類名】特許請求の範囲
【補正対象項目名】全文
【補正方法】変更
【補正の内容】
【特許請求の範囲】
【請求項１】
タッチパネルに、タスクに対応した第１のＧＵＩ（Graphical User Interface）を表示し、前記第１のＧＵＩに対するタッチダウン操作が行われた場合に、前記タスクの実行に関わる第２のＧＵＩを表示するよう制御し、前記第１のＧＵＩに対するタッチダウン操作に続いて前記第２のＧＵＩに対する継続操作が開始された場合に、前記第２のＧＵＩに対する継続操作が完了するまでの間、前記タスクに対する、種類の異なる複数のポップアップスクリーンで示される設定値を順次表示するよう制御する表示制御手段と、
前記第２のＧＵＩに対する継続操作が完了した場合に、前記表示された設定値で前記タスクを実行し、前記第２のＧＵＩに対する継続操作が完了する前にタッチアップ操作が行われた場合に、前記タスクを実行しないよう制御するタスク制御手段と
を有することを特徴とする情報処理装置。
【請求項２】
前記第１のＧＵＩは、前記タスクを示すボタン画像であり、前記第２のＧＵＩは、スライダーバーであることを特徴とする請求項１に記載の情報処理装置。
【請求項３】
前記継続操作は、操作子を前記タッチパネル上で移動させる移動操作であり、
前記第２のＧＵＩは、前記継続操作の経路を示す画像であることを特徴とする請求項１又は２に記載の情報処理装置。
【請求項４】
前記表示制御手段では、前記継続操作における移動量に基づいて、前記タスクに対する、種類の異なる複数のポップアップスクリーンで示される設定値を順次表示するよう制御することを特徴とする請求項１乃至３の何れか１項に記載の情報処理装置。
【請求項５】
前記表示制御手段では、前記継続操作の継続時間に基づいて、前記タスクに対する、種類の異なる複数のポップアップスクリーンで示される設定値を順次表示するよう制御することを特徴とする請求項１乃至３の何れか１項に記載の情報処理装置。
【請求項６】
前記表示制御手段は、異なるタスクに対応した、複数の第１のＧＵＩを表示し、第１のタスクに対応した第１のＧＵＩに対するタッチダウン操作が行われた場合と、前記第１のタスクと異なる第２のタスクに対応した第１のＧＵＩに対するタッチダウン操作が行われた場合とにおいて、経路の異なる前記第２のＧＵＩを表示するよう制御することを特徴とする請求項３に記載の情報処理装置。
【請求項７】
前記表示制御手段は、タッチ位置の移動に応じて前記経路を順次表示するよう制御することを特徴とする請求項３に記載の情報処理装置。
【請求項８】
前記表示制御手段は、前記設定値が表示されているときにタッチアップ操作が行われた場合に、前記設定値の変更指示を受け付ける画面を表示するよう制御し、
前記タスク制御手段は、前記設定値の変更指示を受け付けた場合に、前記タスクの設定値を前記変更指示に従い変更することを特徴とする請求項１乃至７の何れか１項に記載の情報処理装置。
【請求項９】
前記タスクは、複合機によるデータ送信を含むことを特徴とする請求項１乃至８の何れか１項に記載の情報処理装置。
【請求項１０】
前記タスクは、Ｘ線検査装置による曝射のうち少なくとも１つの機能を含むことを特徴とする請求項１乃至８の何れか１項に記載の情報処理装置。
【請求項１１】
撮影手段をさらに有し、
前記タスク制御手段は、前記撮影手段が前記タスクを実行する実行装置を撮影した場合において、前記継続操作が完了した場合に、前記タスクを実行するよう制御することを特徴とする請求項１乃至１０の何れか１項に記載の情報処理装置。
【請求項１２】
タッチパネルに、タスクに対応した第１のＧＵＩ（Graphical User Interface）を表示し、前記第１のＧＵＩに対するタッチダウン操作が行われた場合に、前記タスクの実行に関わる第２のＧＵＩを表示するよう制御し、前記第１のＧＵＩに対するタッチダウン操作に続いて前記第２のＧＵＩに対する継続操作が開始された場合に、前記第２のＧＵＩに対する継続操作が完了するまでの間、前記タスクに対する、種類の異なる複数のポップアップスクリーンで示される設定値を順次表示するよう制御する表示制御工程と、
前記第２のＧＵＩに対する継続操作が完了した場合に、前記表示された設定値で前記タスクを実行し、前記第２のＧＵＩに対する継続操作が完了する前にタッチアップ操作が行われた場合に、前記タスクを実行しないよう制御するタスク制御工程と
を含むことを特徴とする制御方法。
【請求項１３】
コンピュータを、
タッチパネルに、タスクに対応した第１のＧＵＩ（Graphical User Interface）を表示し、前記第１のＧＵＩに対するタッチダウン操作が行われた場合に、前記タスクの実行に関わる第２のＧＵＩを表示するよう制御し、前記第１のＧＵＩに対するタッチダウン操作に続いて前記第２のＧＵＩに対する継続操作が開始された場合に、前記第２のＧＵＩに対する継続操作が完了するまでの間、前記タスクに対する、種類の異なる複数のポップアップスクリーンで示される設定値を順次表示するよう制御する表示制御手段と、
前記第２のＧＵＩに対する継続操作が完了した場合に、前記表示された設定値で前記タスクを実行し、前記第２のＧＵＩに対する継続操作が完了する前にタッチアップ操作が行われた場合に、前記タスクを実行しないよう制御するタスク制御手段として機能させるためのコンピュータプログラム。
【手続補正２】
【補正対象書類名】明細書
【補正対象項目名】発明の名称
【補正方法】変更
【補正の内容】
【発明の名称】情報処理装置、制御方法及びコンピュータプログラム
【手続補正３】
【補正対象書類名】明細書
【補正対象項目名】０００１
【補正方法】変更
【補正の内容】
【０００１】
本発明は、情報処理装置、制御方法及びコンピュータプログラムに関する。
【手続補正４】
【補正対象書類名】明細書
【補正対象項目名】０００７
【補正方法】変更
【補正の内容】
【０００７】
そこで、本発明は、情報処理装置であって、タッチパネルに、タスクに対応した第１のＧＵＩ（Graphical User Interface）を表示し、前記第１のＧＵＩに対するタッチダウン操作が行われた場合に、前記タスクの実行に関わる第２のＧＵＩを表示するよう制御し、前記第１のＧＵＩに対するタッチダウン操作に続いて前記第２のＧＵＩに対する継続操作が開始された場合に、前記第２のＧＵＩに対する継続操作が完了するまでの間、前記タスクに対する、種類の異なる複数のポップアップスクリーンで示される設定値を順次表示するよう制御する表示制御手段と、前記第２のＧＵＩに対する継続操作が完了した場合に、前記表示された設定値で前記タスクを実行し、前記第２のＧＵＩに対する継続操作が完了する前にタッチアップ操作が行われた場合に、前記タスクを実行しないよう制御するタスク制御手段とを有する。
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
フレキシブルアームからなる支持アームと、
前記支持アームの先端部に設けられた灯具と、
前記支持アームを容器の周側板の上端部からなる取付け箇所に取外し可能に取り付ける取付け具と、を具備し、
前記取付け具は、前記取付け箇所に着脱自在に固定する取付け具本体と、前記支持アームをその長さ方向に移動可能に接続する接続部とを備えている動植物観賞容器用照明装置。
【請求項２】
前記取付け具は、前記接続部として、前記支持アームを前記支持アームの挟持箇所が前記支持アームの長さ方向に連続的に変更可能になるように挟持する挟持部を備えている請求項１記載の動植物観賞容器用照明装置。
【請求項３】
前記挟持部は、前記取付け具本体との間で前記支持アームを挟持する挟持片と、前記挟持片と前記取付け具本体との間で前記支持アームの挟持箇所を挟持するように前記挟持片を前記取付け具本体側へ締め付ける締付けねじとを有しており、
前記締付けねじは、前記挟持片に設けられた締付けねじ用挿通孔に挿通させて前記締付けねじの先端部を前記取付け具本体に設けられたねじ孔に螺合させることにより、前記挟持片を前記取付け具本体側へ締め付けるものである請求項２記載の動植物観賞容器用照明装置。
【請求項４】
前記支持アームの外周の断面形状は円形状であり、
前記挟持片と前記取付け具本体は、それぞれ、前記支持アームの外周の断面形状に対応して凹んだ断面凹円弧状の挟持面を有しており、
前記支持アームは、前記挟持片の前記挟持面と前記取付け具本体の前記挟持面との間で挟持される請求項３記載の動植物観賞容器用照明装置。
【請求項５】
前記取付け具本体は、前記取付け箇所が嵌め込まれる下方に開口した断面略コ字状の嵌込み凹部と、前記嵌込み凹部内に嵌め込まれた前記取付け箇所を前記嵌込み凹部における一対の対向壁部のうち一方の対向壁部に押し付ける押付けねじとを有しており、
前記押付けねじは、前記一対の対向壁部のうち他方の対向壁部に設けられたねじ孔に螺挿させて前記押付けねじの先端で前記取付け箇所を前記一方の対向壁部に押し付けるものである請求項１〜４のいずれかに記載の動植物観賞容器用照明装置。
【請求項６】
さらに、容器が設置される設置面上に載置され前記支持アームを支持する支持脚を具備しており、
前記支持脚は、前記取付け具が前記取付け具本体で着脱自在に固定される部位を有している請求項１〜５のいずれかに記載の動植物観賞容器用照明装置。
【手続補正２】
【補正対象書類名】明細書
【補正対象項目名】発明の名称
【補正方法】変更
【補正の内容】
【発明の名称】動植物観賞容器用照明装置
【手続補正３】
【補正対象書類名】明細書
【補正対象項目名】０００１
【補正方法】変更
【補正の内容】
【０００１】
本発明は、動物観賞容器（例：観賞魚用水槽）、植物観賞容器などの動植物観賞容器に用いられる照明装置に関する。
【手続補正４】
【補正対象書類名】明細書
【補正対象項目名】０００２
【補正方法】変更
【補正の内容】
【０００２】
動植物観賞容器として例えば観賞魚用水槽には、その内側を上側から照明するための照明装置が取り付けられる。例えば特開２００６−２６２７６１号公報（特許文献１）には、照明装置が水槽のコーナー部に設けられた支柱の上端に取り付けられる構造が開示されている。
【手続補正５】
【補正対象書類名】明細書
【補正対象項目名】０００５
【補正方法】変更
【補正の内容】
【０００５】
本発明は、上述した技術背景に鑑みてなされたもので、その目的は、灯具の高さ調整を容易に行いうる動植物観賞容器用照明装置を提供することにある。
【手続補正６】
【補正対象書類名】明細書
【補正対象項目名】０００７
【補正方法】変更
【補正の内容】
【０００７】
［１］  フレキシブルアームからなる支持アームと、
前記支持アームの先端部に設けられた灯具と、
前記支持アームを容器の周側板の上端部からなる取付け箇所に取外し可能に取り付ける取付け具と、を具備し、
前記取付け具は、前記取付け箇所に着脱自在に固定する取付け具本体と、前記支持アームをその長さ方向に移動可能に接続する接続部とを備えている動植物観賞容器用照明装置。
【手続補正７】
【補正対象書類名】明細書
【補正対象項目名】０００９
【補正方法】変更
【補正の内容】
【０００９】
［３］  前記挟持部は、前記取付け具本体との間で前記支持アームを挟持する挟持片と、前記挟持片と前記取付け具本体との間で前記支持アームの挟持箇所を挟持するように前記挟持片を前記取付け具本体側へ締め付ける締付けねじとを有しており、
前記締付けねじは、前記挟持片に設けられた締付けねじ用挿通孔に挿通させて前記締付けねじの先端部を前記取付け具本体に設けられたねじ孔に螺合させることにより、前記挟持片を前記取付け具本体側へ締め付けるものである前項２記載の動植物観賞容器用照明装置。
【手続補正８】
【補正対象書類名】明細書
【補正対象項目名】００２４
【補正方法】変更
【補正の内容】
【００２４】
図１に示すように、本発明の一実施形態に係る動植物観賞容器用照明装置１は、動植物観賞容器として例えば観賞魚用水槽５０の内側をその上側から照明するために用いられるものである。
【手続補正９】
【補正対象書類名】明細書
【補正対象項目名】００４８
【補正方法】変更
【補正の内容】
【００４８】
図６は、照明装置１を照明スタンドとして使用する場合を示す斜視図である。同図では、照明装置１は、動植物観賞容器として例えば陸生植物観賞容器（陸生植物育成容器を含む）６０の内側をその上側から照明するために用いられるものであり、上述した灯具３、支持アーム２及び取付け具４のほかに更に支持脚３０を具備している。
【手続補正１０】
【補正対象書類名】明細書
【補正対象項目名】００６４
【補正方法】変更
【補正の内容】
【００６４】
このように、照明装置１は、図１に示した観賞魚用水槽５０や図６に示した陸生植物観賞容器６０などの様々な大きさや形状の容器に対して使用することができるし、また容器の大きさ、形状、種類等に応じて、照明装置１の支持アーム２を容器の周側板の上端部に取り付けたり照明装置１を照明スタンドとして使用したりすることができる。
【手続補正１１】
【補正対象書類名】明細書
【補正対象項目名】００６６
【補正方法】変更
【補正の内容】
【００６６】
例えば、本発明に係る照明装置は、上記実施形態で示したような観賞魚用水槽５０や陸生植物観賞容器６０に用いられるものであることに限定されるものではなく、その他に例えば、水草等の水生植物観賞水槽（水生植物育成水槽を含む）に用いられるものであっても良い。
【手続補正１２】
【補正対象書類名】明細書
【補正対象項目名】００６７
【補正方法】変更
【補正の内容】
【００６７】
本発明は、動物観賞容器（例：観賞魚用水槽）、植物観賞容器などの動植物観賞容器に用いられる照明装置に利用可能である。
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
正極、負極、セパレータおよび電解質が、シート状外装体内に収容されてなるシート状空気電池であって、
前記正極は、多孔性導電基材を有し、
前記多孔性導電基材は、前記正極の集電体として機能する本体部と端子部とを有し、前記端子部は、前記シート状外装体の外部に少なくとも一部が露出しており、
前記負極は、金属箔を有し、
前記金属箔は、前記負極の活物質として機能する本体部と端子部とを有し、前記端子部は、前記シート状外装体の外部に少なくとも一部が露出していることを特徴とするシート状空気電池。
【請求項２】
前記多孔性導電基材が、繊維状カーボンで構成された多孔性カーボンシートである請求項１に記載のシート状空気電池。
【請求項３】
前記正極の本体部を構成する多孔性導電基材の表面または内部に、カーボン触媒が担持されている請求項１または２に記載のシート状空気電池。
【請求項４】
前記シート状外装体に、孔または切り欠きが形成されており、
前記孔または切り欠きから、前記正極および前記負極の端子部が露出している請求項１〜３のいずれかに記載のシート状空気電池。
【請求項５】
前記金属箔が、亜鉛もしくは亜鉛合金の箔、マグネシウムもしくはマグネシウム合金の箔、またはアルミニウムもしくはアルミニウム合金の箔である請求項１〜４のいずれかに記載のシート状空気電池。
【請求項６】
前記電解質は、電解質塩を含有するｐＨが３以上１２未満の水溶液により構成された請求項１〜５のいずれかに記載のシート状空気電池。
【請求項７】
前記電解質を構成する水溶液がゲル化されている請求項６に記載のシート状空気電池。
【請求項８】
身体に装着可能なパッチであって、電源として、請求項１〜７のいずれかに記載のシート状空気電池を備えていることを特徴とするパッチ。
【手続補正書】
【提出日】令和2年8月11日(2020.8.11)
【手続補正１】
【補正対象書類名】特許請求の範囲
【補正対象項目名】全文
【補正方法】変更
【補正の内容】
【特許請求の範囲】
【請求項１】
情報処理装置が、
入札額と、ユーザの識別情報とを含む入札情報を受信するステップと、
前記受信した入札情報に基づいて、入札者数と入札額を対応付けて記憶するステップと、
前記対応付けに基づいて、所定の入札額で入札しているユーザの数に応じた面積のオブジェクトをユーザ端末に表示させるステップと、
を実行する情報処理方法。
【請求項２】
前記表示させるステップは、前記所定の入札額で入札しているユーザの数が減少した場合は、前記オブジェクトの面積を縮小して表示させ、前記所定の入札額で入札しているユーザの数が増加した場合は、前記オブジェクトの面積を拡大して表示させることを特徴とする、
請求項１に記載の情報処理方法。
【請求項３】
前記表示させるステップは、入札額毎に、各入札額で入札しているユーザの数に応じた面積のオブジェクトをそれぞれ表示させる、
ことを特徴とする請求項１または２に記載の情報処理方法。
【請求項４】
各入札額で入札しているユーザの数に基づいて、落札するユーザを決定するステップをさらに実行する、
ことを特徴とする請求項１乃至３のいずれか一項に記載の情報処理方法。
【請求項５】
前記決定するステップは、入札しているユーザの数が１以上で最も少ない入札額のうち最も低い入札額で入札しているユーザを、前記落札するユーザとして決定する、
ことを特徴とする請求項４に記載の情報処理方法。
【請求項６】
前記決定するステップは、入札しているユーザの数が１以上で最も少ない複数の入札額のうち最も低い入札額で入札しているユーザと、入札しているユーザの数が１以上で最も少ない複数の入札額のうち２番目に低い入札額で入札しているユーザとを、前記落札するユーザとして決定する、
ことを特徴とする請求項５に記載の情報処理方法。
【請求項７】
前記決定するステップは、入札しているユーザの数が所定数である入札額のうち最も低い入札額で入札しているユーザを、前記落札するユーザとして決定する、
ことを特徴とする請求項４に記載の情報処理方法。
【請求項８】
情報処理装置に、
入札額と、ユーザの識別情報とを含む入札情報を受信するステップと、
前記入札情報に基づいて、所定の入札額で入札しているユーザの数に応じた面積のオブジェクトを表示させるステップと、
を実行させるプログラム。
【請求項９】
入札額と、ユーザの識別情報とを含む入札情報を受信する受信部と、
前記入札情報に基づいて、所定の入札額で入札しているユーザの数に応じた面積のオブジェクトを表示させる表示制御部と、
を有する情報処理装置。
【手続補正２】
【補正対象書類名】明細書
【補正対象項目名】０００６
【補正方法】変更
【補正の内容】
【０００６】
本開示の一実施形態に係る情報処理方法は、情報処理装置が、入札額と、ユーザの識別情報とを含む入札情報を受信するステップと、前記受信した入札情報に基づいて、入札者数と入札額を対応付けて記憶するステップと、前記対応付けに基づいて、所定の入札額で入札しているユーザの数に応じた面積のオブジェクトをユーザ端末に表示させるステップと、を実行する。